(57)【要約】【課題】写真用額縁は、大きく重い。写真の差し替えがめんどう。地震等で落下し人にあたると怪我をする心配があった。【解決手段】写真の上部を、複数個のクランプスプリングで挟み、この開閉を１本の開閉カムでワンタッチに行う上部ユニットに取り付ける。同様に写真の下部を下部ユニットに取り付ける。一方、写真を台紙に貼る場合は、初めに穴明き台紙を上部，下部ユニットに取り付けておき、写真は、穴明き台紙を挟んで片面粘着テープで貼り付ける。【効果】写真の差し替えがワンタッチ。小型軽量なので地震などで落下して人に当たっても怪我が小さい。ガラスが無いので写真がきれいに見える。穴明き台紙を用いれば、写真の台紙からのはがしが簡単になる。【選択図】図１
2007283042.tif 000002
【特許請求の範囲】
【請求項１】
写真を壁面等に飾るためのものであって、写真の上端を挟む複数個のスプリングと、これら全てのスプリングの挟み部を同時に開閉する為の１本の開閉カムと、吊り下げ紐用の穴とを備えたフレームから成る上部ユニットと、写真の下端を挟む複数個のスプリングと、これら全てのスプリングの挟み部を同時に開閉する為の１本の開閉カムとを備えたフレームから成る下部ユニットとを有する写真掲示装置。
【請求項２】
請求項１で述べた写真の代わりに、初めに台紙を用いて組み立てを行い、後から、その台紙に写真を貼る場合の台紙や、従来の額縁で表面ガラスを使用しない場合の台紙に関するもので、以下のようになる。
台紙には、全面にほぼ均等に分散した複数個の孔が明けられており、台紙を挟んで片面粘着テープで台紙の穴を通して写真の裏側と台紙の裏側を貼り付けるように構成した写真貼り付け用穴明き台紙。
【発明の詳細な説明】
【技術分野】
【０００１】本発明は、主として写真を飾る額縁といった用途に使用する、写真吊り下げ方式の写真掲示装置、および貼った写真をはがしやすい穴明き台紙に関する。
【背景技術】
【０００２】居間や寝室などに飾られる写真はガラスの入った額縁に入れて壁面に掛けている。
図５は従来の額縁の正面図と側断面図である。
図中の符号を付けた部分は下記のような名前でよぶ。
１６  額縁フレーム
１７  ガラス
１８  カットマット
１９  写真
２０  粘着テープ
２１  裏板
２２  スペーサ
図６は従来の額縁からガラスを外した状態の正面図と側断面図である。
２３  たわんだ写真【０００３】  上記のような額縁は、例えば、（特許文献１）に記載されている。
【特許文献１】特開号公報  特許公開２００４−１４７７６９
【発明の開示】
【発明が解決しようとする課題】
【０００４】  ここで、従来の技術には、次のような解決すべき課題があった。
一般的に額縁は重く強い地震が来た場合等に落下し人体に当たると怪我を引き起こす危険があった。また額縁への写真の取り付、取り外しは、そのつどガラスや台紙の取り外しや取り付けが面倒で頻繁に行うには不適当という問題があった。さらに、ガラスの反射で写真が見にくい場合、額縁からガラスを外すと写真の表面がたわんで見苦しくなるという問題もあった。【０００５】  本発明は以上のような問題を解決する為になされたもので、上部ユニットと下部ユニットのみで写真を挟み、保持し、掲示することで軽量化と写真の着脱のワンタッチ化を計ったものである。
さらに、台紙に写真を貼る場合、複数の小さい適当な穴を持つ、穴明き台紙を使用し、その穴を介して片面粘着テープで写真の裏面と台紙の裏面とを接着することで台紙から写真をはがすのを容易にした。
【課題を解決するための手段】
【０００６】  本発明の各実施例においては、それぞれ次のような構成により上記の課題を解決する。
〈構成１〉
写真を壁面等に飾るためのものであって、写真の上端を挟む複数個のスプリングと、これら全てのスプリングの挟み部を同時に開閉する為の１本の開閉カムと、吊り下げフック用の穴とを備えたフレームから成る上部ユニットと、写真の下端を挟む複数個のスプリングと、これら全てのスプリングの挟み部を同時に開閉する為の１本の開閉カムとを備えたフレームから成る下部ユニットとを有する写真掲示装置。【０００７】  〈構成２〉
上記構成１で述べた写真の代わりに、初めに台紙を用いて組み立てを行い、後から、その台紙に写真を貼る場合の台紙や、従来の額縁で表面ガラスを使用しない場合の台紙に関するもので、以下のようになる。
台紙には、全面にほぼ均等に分散した複数個の穴が明けられており、台紙を挟んで片面粘着テープで台紙の穴を通して写真の裏側と台紙の裏側を貼り付けるように構成した写真貼り付け用の穴明き台紙。
【発明を実施するための最良の形態】
【０００８】  以下、本発明の実施の形態を実施例ごとに詳細に説明する。
【実施例１】
【０００９】  図１は実施例１の正面図と側面図である。
１  上部ユニット
２  下部ユニット
３  写真
４  スプリング
５  開閉カム
６  フレーム
７  紐
８  フック
９  紐用穴
図２は実施例１のスプリング部を説明する正面図、一部拡大図、拡大側断面図である。
１０  スプリング開口部
１１  カム部
１２  開口部
図３は実施例１のスプリング部の開閉動作を示す側断面図である。【００１０】［基本動作］
上部ユニット（１）の開閉カム（５）を横に倒し、カム部（１１）の幅広側で、スプリング（４）を開きフレーム（６）の開口部（１２）から写真（３）の上端を差込み、開閉カム（５）を元の位置にもどすと、カム部（１１）が狭幅側になり、スプリング（４）が閉じ、写真（３）が挟まれ保持される。この場合、スプリング（４）の下端は紐（７）に吊り下げられたフレーム（６）に乗っており、写真（３）はスプリング（４）の力のみで挟まれているので、図３で見てフレーム（６）の左右には力がほんの少ししかかからない。したがってフレームが木製やプラスチック製でも変形せず使用出来る。
同様の操作で、下部ユニット（２）で写真の下端を挟めば、掲示写真に適当な張力を与え写真が変形されにくくなる。
【実施例２】
【００１１】    図４は穴明き台紙に写真を取り付ける場合の正面図、側面図、穴部裏面拡大図である。
１３  穴明き台紙
１４  穴
１５  片面粘着テープ【００１２】［基本操作］
写真（３）の外寸に対応した大きめの、穴明き台紙（１３）の表面に写真（３）を配置し、
図４の穴部裏面拡大図に示すように片面粘着テープ（１５）で穴（１４）を通して写真（３）と穴明き台紙（１３）を貼り付ける。次に上部ユニット（１）、下部ユニット（２）に挟み、紐（７）をフック（８）に掛ける。
写真を剥がす時は片面粘着テープ（１５）の無接着部を引けば容易に剥がれる。【００１３】  図５は従来の額縁を示す正面図、側断面図である。
１６  額縁フレーム
１７  ガラス
１８  カットマット
１９  写真
２０  粘着テープ
２１  裏板
２２  スペーサ
図６は従来の額縁から反射を消して写真を見やすくするため、ガラス（１７）を取り除いた状態を示す正面図、側断面図である。
２３  たわんだ写真
［基本操作］
さらに、従来の額縁において、写真を見やすくする為、額縁からガラス（１５）を取り除くような場合、写真がたわみ、たわんだ写真（２３）のようになる。これを防ぐため、額縁に合わせた外寸と、適切な強度を持たせた厚さの穴明き台紙（１３）を使用し図４のように組み立てると、たわんだ写真（２３）にならない。また写真の取はがしも容易になる。
図７は穴明き台紙を説明する正面図、側断面図、拡大側断面図、である。
２４  角穴
穴明き台紙（１３）の大きさは写真や用途によって異なる。厚さは写真を貼り付けて下向きに傾斜させてもあまりたわまない厚さを選ぶ。角穴（２４）の形は丸でも四角でも適当な形でいいが片面粘着テープが楽に通る小さめの径がいい。穴には面取りがあっても、無くてもよい。
【図面の簡単な説明】
【００１４】
【図１】は実施例１の正面図と側面図である。
【図２】は実施例１のスプリング部を説明する正面図、一部拡大図、拡大側断面図である。
【図３】は実施例１のスプリング部の開閉動作を示す側断面図である。
【図４】は穴明き台紙に写真を取り付ける場合の正面図、側面図、穴部裏面拡大図である。
【図５】従来の額縁の正面図と側断面図である。
【図６】従来の額縁からガラスを外した状態の正面図、側断面図である。
【図７】穴明き台紙を説明する正面図、側断面図、拡大側断面図である
【符号の説明】
【００１５】１  上部ユニット
２  下部ユニット
３  写真
４  スプリング
５  開閉カム
６  フレーム
７  紐
８  フック
９  紐用穴
１０  スプリング開口部
１１  カム部
１２  開口部
１３  穴明き台紙
１４  穴
１５  片面粘着テープ
１６  額縁フレーム
１７  ガラス
１８  カットマット
１９  写真
２０  粘着テープ
２１  裏板
２２  スペーサ
２３  たわんだ写真
２４  角穴
【図１】
2007283042.tif 000003
【図２】
2007283042.tif 000004
【図３】
2007283042.tif 000005
【図４】
2007283042.tif 000006
【図５】
2007283042.tif 000007
【図６】
2007283042.tif 000008
【図７】
2007283042.tif 000009